(57)【特許請求の範囲】
【請求項１】
表裏の両胴部フィルムにおける互いに重なり合った左右両側部が、上下方向にわたり細幅縦長形状でサイドシールされており、かつ、その細幅縦長形状のサイドシール部分が袋体両側部の外方にある合成樹脂製袋体において、
前記袋体の左側部内面に融着または接着される左側部用の樹脂製形状維持テープが、前記左側サイドシール箇所を間に含んで前記表胴部フィルムの左側部から裏胴部フィルムの左側部にわたるテープ幅と、前記袋体の開口部から底部にわたるテープ長さとを有するものであるとともに、前記袋体の右側部内面に融着または接着される右側部用の樹脂製形状維持テープも、前記右側サイドシール箇所を間に含んで前記表胴部フィルムの右側部と裏胴部フィルムの右側部とにわたるテープ幅と、前記袋体の開口部から底部にわたるテープ長さとを有していること、および、
前記袋体内であって前記左側のサイドシール箇所を含む前記袋体の左側部内面には、その左側サイドシール箇所に沿って袋体開口部から袋体底部にわたる前記左側部用の樹脂製形状維持テープが融着または接着されているとともに、前記袋体内であって前記右側のサイドシール箇所を含む右側部内面にも、その右側サイドシール箇所に沿って袋体開口部から袋体底部にわたる前記右側部用の樹脂製形状維持テープが融着または接着されていること、および、
前記袋体の胴部が膨らんだ形態においては、袋体両側部内面の両樹脂製形状維持テープがそれぞれのテープ面を広げて互いに対面するものであるとともに、前記表裏両胴部フィルムがその広がった両樹脂製形状維持テープの前端部間や後端部間にわたるものであり、かつ、前記袋体両側部の外方にそれぞれ位置する前記細幅縦長形状の両サイドシール部分が、両樹脂製形状維持テープの広がったテープ面に対して交差状になるものであること、および、
前記両樹脂製形状維持テープにより前記袋体の袋口の開口状態が維持されるとともに、当該袋体胴部の前記膨らみ形態が保持されるものであること
を特徴とする合成樹脂製袋体。
【発明の詳細な説明】
【技術分野】
【０００１】
本発明は、内容物の出し入れを容易にした合成樹脂製袋体に関するものである。
【背景技術】
【０００２】
内容物の出し入れを容易にするために、金属・樹脂製の形状維持部材を開口部の周方向に取り付け、前記金属・樹脂製の形状維持部材により開口部を開口状態に保持するようにした合成樹脂製袋体が提供されている。
【０００３】
金属・樹脂製の形状維持部材により開口部を開口状態に保持されていれば内容物の出し入れが容易であるようであるが、極薄いフィルムよりなる袋体の胴部は軟弱であり、内容物を包入するまでは袋体の胴部が座屈する。
【０００４】
従って、金属・樹脂製の形状維持部材により袋口が開口状態に保持されていても袋体の胴部が座屈して変形した状態になっては、特に内容物の包入が容易ではなく、また、自立性にも欠ける問題を有する。
【特許文献１】特開平１０−２５８８４７公報
【特許文献２】特開２００３−０４０２９０公報
【特許文献３】特開２００４−０００４４７公報
【特許文献４】特開２００４−２５６１２０公報
【特許文献５】特開２００４−２９９６８９公報
【発明の開示】
【発明が解決しようとする課題】
【０００５】
本発明は、袋口を開口状態に維持し、かつ袋体の胴部の耐座屈性を確保した合成樹脂製袋体を提供することである。
【課題を解決するための手段】
【０００６】
上記の課題を解決するための本発明は、
表裏の両胴部フィルムにおける互いに重なり合った左右両側部が、上下方向にわたり細幅縦長形状でサイドシールされており、かつ、その細幅縦長形状のサイドシール部分が袋体両側部の外方にある合成樹脂製袋体において、
前記袋体の左側部内面に融着または接着される左側部用の樹脂製形状維持テープが、前記左側サイドシール箇所を間に含んで前記表胴部フィルムの左側部から裏胴部フィルムの左側部にわたるテープ幅と、前記袋体の開口部から底部にわたるテープ長さとを有するものであるとともに、前記袋体の右側部内面に融着または接着される右側部用の樹脂製形状維持テープも、前記右側サイドシール箇所を間に含んで前記表胴部フィルムの右側部と裏胴部フィルムの右側部とにわたるテープ幅と、前記袋体の開口部から底部にわたるテープ長さとを有していること、および、
前記袋体内であって前記左側のサイドシール箇所を含む前記袋体の左側部内面には、その左側サイドシール箇所に沿って袋体開口部から袋体底部にわたる前記左側部用の樹脂製形状維持テープが融着または接着されているとともに、前記袋体内であって前記右側のサイドシール箇所を含む右側部内面にも、その右側サイドシール箇所に沿って袋体開口部から袋体底部にわたる前記右側部用の樹脂製形状維持テープが融着または接着されていること、および、
前記袋体の胴部が膨らんだ形態においては、袋体両側部内面の両樹脂製形状維持テープがそれぞれのテープ面を広げて互いに対面するものであるとともに、前記表裏両胴部フィルムがその広がった両樹脂製形状維持テープの前端部間や後端部間にわたるものであり、かつ、前記袋体両側部の外方にそれぞれ位置する前記細幅縦長形状の両サイドシール部分が、両樹脂製形状維持テープの広がったテープ面に対して交差状になるものであること、および、
前記両樹脂製形状維持テープにより前記袋体の袋口の開口状態が維持されるとともに、当該袋体胴部の前記膨らみ形態が保持されるものであること
を特徴とする。
【発明の効果】
【０００７】
本発明に係る合成樹脂製袋体の場合、袋体両側内面に前記サイドシールに沿って開口部から底部にわたって前記サイドシールを跨いで表裏の胴部フィルムに融着または接着した樹脂製形状維持テープが表裏の胴部フィルムを押し広げ袋口を開口状態に維持し、かつ、袋体胴部の膨らみ形態を保持し、また、樹脂製形状維持テープが袋体胴部両側で支柱となる。よって、本発明に係る合成樹脂製袋体は、袋体の胴部の耐座屈性、自立性を確保し、内容物の出し入れをより一層容易にする効果を有している。
【発明を実施するための最良の形態】
【０００８】
以下本発明を実施するための最良の形態を図面に基づいて説明する。図１及び図２は底ガゼット３を備え、横ガゼット無しの自立タイプの合成樹脂製袋体１Ａ（以下自立タイプ袋体という）に本発明を適用した実施例である。
【０００９】
すなわち、表裏の胴部フィルム１ａ、１ｂの左右をサイドシール２し、底ガゼット３を備え、開口部４には再開閉可能なチャック５が設けられている自立タイプ袋体１Ａにおいて、樹脂製形状維持テープ６を前記自立タイプ袋体１Ａの両側内面に前記サイドシール２に沿って開口部４から底部に渡って前記サイドシール２を跨いで表裏の胴部フィルム１ａ、１ｂに融着又は接着した構造である。
【００１０】
図３及び図４は平袋タイプの合成樹脂製袋体１Ｂ（以下平袋タイプ袋体という）に本発明を適用した実施例である。
【００１１】
すなわち、表裏の胴部フィルム１ａ、１ｂの左右をサイドシール２し、底シール７を施し、開口部４には再開閉可能なチャック５が設けられている平袋タイプ袋体１Ｂにおいて、樹脂製形状維持テープ６を前記平袋タイプ袋体１Ｂの両側内面に前記サイドシール２に沿い、かつ、開口部４から底部にわたって前記サイドシール２を跨いで表裏の胴部フィルム１ａ、１ｂに融着又は接着した構造である。
【００１２】
前記樹脂製形状維持テープ６は、ポリエチレン又はポリプロピレン等のポリオレフィンが好ましく、例えば、フォルテ（商品名、積水化学社製、ポリエチレン超延伸シート）である。
【００１３】
本発明は上記の通りの構造であるから、自立タイプ袋体１Ａ及び平袋タイプ袋体１Ｂの何れにおいても、樹脂製形状維持テープ６をサイドシール２を中央にして左右に拡開することにより、樹脂製形状維持テープ６が表裏の胴部フィルム１ａ、１ｂを押し広げ自立タイプ袋体１Ａでは図２で示すように、また、平袋タイプ袋体１Ｂでは図４で示すように、開口部４は開口状態に維持し、かつ袋体胴部の膨らみ形態を保持する。
【００１４】
また、樹脂製形状維持テープ６袋体胴部両側で支柱となり、内容物を包入していない空袋の状態でも開口部４は開口状態に維持し、かつ袋体胴部の膨らみ形態を保持し、袋体の胴部の耐座屈性、自立性を確保する。
【００１５】
従って、樹脂製形状維持テープを開口部の周方向に取り付け、樹脂製形状維持テープにより開口部のみ開口状態に維持した従来の構造に比べて、本発明は内容物の出し入れをより一層容易にする効果を有している。
【００１６】
上記実施例の自立タイプ袋体１Ａ及び平袋タイプ袋体１Ｂは開口部にチャック５を設けた形態であるが、チャック５を設けていない袋体でも本発明は適用することができる。
【００１７】
本発明の自立タイプ袋体１Ａ及び平袋タイプ袋体１Ｂは、液体や水物あるいは粉体や微粒体、その他各種の包入商品を包入する袋体に適用することで利便性を有している。
【図面の簡単な説明】
【００１８】
【図１】本発明を自立タイプの合成樹脂製袋体に適用した正面図
【図２】図１の袋体の胴部膨らみ形態の斜視図
【図３】本発明を平袋タイプの合成樹脂製袋体に適用した正面図
【図４】図３の袋体の胴部膨らみ形態の斜視図
【符号の説明】
【００１９】
１Ａ  自立タイプの合成樹脂製袋体
１Ｂ  平袋タイプの合成樹脂製袋体
１ａ  表胴部フィルム
１ｂ  裏胴部フィルム
２    サイドシール
３    底ガゼット
４    開口部
５    チャック
６    樹脂製形状維持テープ
７    底シール
【図１】
0005197925.tif 000002
【図２】
0005197925.tif 000003
【図３】
0005197925.tif 000004
【図４】
0005197925.tif 000005